(57)【要約】      （修正有）【課題】パッケージ内の内容物を確認するため、簡単な方法で開閉可能なパッケージを提供する。【解決手段】切り花等の茎のある植物性産物のパッケージであって、水と共に花の茎を収容可能な容器１と、その頂端と底端との間に広がる周囲壁６を有するカラー２とを備え、花が容器１からカラー２へと上方に向かって伸び得るように、前記カラー２がその底端で前記容器１上に設置されたパッケージである。カラー２の周囲壁６には、カバー１０を備えた開口９を設け、その開口を遮断するカバーを設けることにより達成される。【選択図】  図３
2004189340.tif 000002
【特許請求の範囲】
【請求項１】
切り花等の茎のある植物性産物のパッケージであって、
水と共に花の茎を収容可能な容器（１）と、その頂端と底端との間に広がる周囲壁（６）を有するカラー（２）とを備え、花が容器（１）からカラー（２）へと上方に向かって伸び得るように、前記カラー（２）がその底端で前記容器（１）上に設置され、
前記カラー（２）の周囲壁（６）が開口（９）を有すると共に、該開口（９）を遮断するカバー（１０）が設けられていることを特徴とするパッケージ。
【請求項２】
開口（９）がカラー（２）の底端と頂端との間の周囲壁（６）の高さ全体に及び、カバー（１０）が周囲壁（６）の高さと同じ高さを有することを特徴とする請求項１に記載のパッケージ。
【請求項３】
周囲壁（６）が、二つの追加壁部（１６，１７）によって一方の側が区切られた少なくとも一つの平面壁部（１２，１３）を有し、該平面壁部（１２，１３）に開口（９）を有していることを特徴とする請求項１又は２に記載のパッケージ。
【請求項４】
カバー（１０）が、平面壁部（１２，１３）、及び追加壁部（１６，１７）の少なくとも一部に及んでいることを特徴とする請求項３に記載のパッケージ。
【請求項５】
容器（１）が、周囲壁（６）及びカバー（１０）を挿入可能な周囲溝を有していることを特徴とする請求項１〜４のいずれかに記載のパッケージ。
【請求項６】
蓋（３）をカラー（２）の頂端にはめ込み可能となっていることを特徴とする請求項１〜５のいずれかに記載のパッケージ。
【請求項７】
蓋（３）が、周囲壁（６）及びカバー（１０）を挿入可能な周囲溝を有していることを特徴とする請求項６に記載のパッケージ。
【請求項８】
カバー（１０）が、少なくとも一つの部分的に穿孔された部位を有していることを特徴とする請求項１〜７のいずれかに記載のパッケージ。
【請求項９】
請求項１〜８のいずれかに記載のパッケージに用いるカラーであって、該カラーが、開口を有する周囲壁（６）と該開口を覆うためのカバーとを備えていることを特徴とするカラー。
【発明の詳細な説明】
【技術分野】
【０００１】
本発明は、例えば、切り花のような茎のある植物性産物のパッケージであって、水と共に花の茎を収容可能な容器と、その頂端と底端との間に広がる周囲壁を有するカラーとを備え、花が前記容器からカラーへと上方に向かって伸び得るように、カラーがその底端で容器上に設置され得るパッケージに関する。
【背景技術】
【０００２】
従来のパッケージは、特許文献１に開示されている。パッケージを運搬用パレット上に互いに頂部に堆積させて運搬できるように、カバーはしばしばカラーの上にはめ込まれている。また、花は、競売においてかかる梱包状態で売り出される。通常、売買において、検査のために、せいぜい２、３個のパッケージが開けられる。このように、バイヤーはすべてのパッケージを開けることなく、すべてのロットの印象をもち得る。
【特許文献１】欧州特許公開公報第３１１７１４号
【発明の開示】
【発明が解決しようとする課題】
【０００３】
それにもかかわらず、いくつかの国においては、一つ一つのパッケージの内容物がバイヤーに見えるようにしたいという要求がある。これは、周知のパッケージでは簡単にできることではない。パッケージの開放には大きな労力を要し、また、元の状態にパッケージを戻す余分な労力が必要となる。
【０００４】
本発明の目的は、簡単な方法で開閉可能なパッケージを提供することにある。
【課題を解決するための手段】
【０００５】
前記目的は、カラーの周囲壁が開口を有し、かつ、その開口を遮断するカバーが設けられることにより達成される。
【発明の効果】
【０００６】
本発明のパッケージにおいては、余計な面倒なく、バイヤーに一つ一つのパッケージを見せることができる。さらに、パッケージは、剛性（rigidity）を維持するように、開放後に再び閉じることができる。
【発明を実施するための最良の形態】
【０００７】
開口は様々な手段で形成され得る。具体的に、開口はカラーの底端と頂端との間の周囲壁の高さ全体に及び、カバーは周囲壁の高さと同じ高さを有する。このような実施態様によると、パッケージの内容物がよく見える。
【０００８】
通常、周囲壁は、例えば、長方形や正方形のパッケージの場合では、少なくとも一つの平面壁部を備えている。かかるケースにおいては、開口は平面壁部に形成される。カバーが平面壁部と追加壁部の少なくとも一部とに及ぶと、とても安定した構造が得られる。
【０００９】
容器が、周囲壁及びカバーを挿入することができる周囲溝を有している場合には、さらに安定性が向上する。また、蓋がカラーの頂端にはめ込まれる場合には、蓋が、周囲壁及びカバーを挿入することができる周囲溝を同様に有していてもよい。
【００１０】
また、本発明は、上述のように、開口を有する周囲壁と前記開口を覆うためのカバーを備えたパッケージに関する。
【００１１】
本発明について、図に示された実施態様を参照することによって、以下、詳しく説明する。図１は本発明のパッケージの斜視図であり、図２はその開放の第一段階におけるパッケージを示す図であり、図３は開放されたパッケージを示す図であり、図４は本発明のパッケージのカラーを切断した断面図である。
【００１２】
図１に示すように、本発明の花のパッケージは、容器１と、その全体が符号２によって示されるカラーと、蓋３を備えている。かかるパッケージは、例えば、切り花のような茎のある植物性産物（図示しない）を収容し、その茎は容器１内の水中まで伸びている。
【００１３】
容器１の頂端は、カラー２が挿入される周囲溝４を有している。また、蓋３は、その底部にカラー２を挿入するための周囲溝５を有している。
【００１４】
図１、特に図３に示されるように、カラー２は、底端７及び頂端８を有する周囲壁６を備えている。この周囲壁６には開口９が形成されており、本実施態様においては、かかる開口９は周囲壁６の高さ全体にわたって形成されている。上述のように、周囲壁６はかかる開口９の位置で遮断されている。
【００１５】
図２に示すように、カバー１０は、カラー２から取り除くことができる。かかるカバー１０は、二つの部分１２，１３からなる周囲壁６の壁部分及びその間の開口９を覆うための第１パネル１１と、二つのサイドパネル１４，１５とを有して構成される。これらのサイドパネル１４，１５は、周囲壁６の壁１６，１７に及ぶ。
【００１６】
また、カバーは、そのパネル１１，１４，１５が蓋３の周囲溝５及び容器１の周囲溝４にはめ込まれている。結果として、安定した閉塞状態が得られ、周囲壁６に開口を有しているにもかかわらず、圧縮力に対するパッケージの強さが保持される。
【００１７】
さらに、握り性を向上するために、パネル１１に穿孔部１８が形成されている。
【図面の簡単な説明】
【００１８】
【図１】本発明のパッケージの斜視図である。
【図２】その開放の第一段階におけるパッケージを示す図である。
【図３】開放されたパッケージを示す図である。
【図４】本発明のパッケージのカラーを切断した断面図である。
【符号の説明】
【００１９】
１    容器
２    カラー
３    蓋
４    周囲溝
５    周囲溝
６    周囲壁
７    底端
８    頂端
９    開口
１０    カバー
１１    第１パネル
１２    壁部分
１３    壁部分
１４    サイドパネル
１５    サイドパネル
１６    壁
１７    壁
１８    穿孔部
【図１】
2004189340.tif 000003
【図２】
2004189340.tif 000004
【図３】
2004189340.tif 000005
【図４】
2004189340.tif 000006